(57)【要約】【課題】計時精度の低下を抑制することができるとともに、寿命およびメンテナンス性の低下を抑制することができる時計用軸受、ムーブメントおよび携帯用時計を提供する。【解決手段】軸中心に回転する軸体１４３と、軸体の少なくとも一方の軸方向端部に設けられ、軸体を回転可能に支持する軸受体１８１と、を備えた時計用軸受１８０であって、軸体は、軸本体部１４０ａと、軸本体部の軸方向端部に形成されたホゾ部１４５と、を有し、軸受体は、ホゾ部が挿通される貫通孔１７２が形成された穴石１７１と、ホゾ部の軸方向端面１４８ａと対向配置された受石１７３と、を有し、ホゾ部の軸中心と穴石の貫通孔の軸中心とが略一致するように、永久磁石１７６が、軸方向における穴石と軸本体部との間であって、ホゾ部の周面１４６ａに対して対向配置されている。【選択図】図４
2011185672.tif 000002
【特許請求の範囲】
【請求項１】
軸中心に回転する軸体と、
該軸体の少なくとも一方の軸方向端部に設けられ、前記軸体を回転可能に支持する軸受体と、を備えた時計用軸受であって、
前記軸体は、
軸本体部と、
該軸本体部の軸方向端部に形成されたホゾ部と、を有し、
前記軸受体は、
前記ホゾ部が挿通される貫通孔が形成された穴石と、
前記ホゾ部の軸方向端面と対向配置された受石と、を有し、
前記ホゾ部の軸中心と前記穴石の前記貫通孔の軸中心とが略一致するように、永久磁石が、軸方向における前記穴石と前記軸本体部との間であって、前記ホゾ部の周面に対して対向配置されていることを特徴とする時計用軸受。
【請求項２】
前記軸本体部が磁性体で形成されているとともに、前記軸本体部が前記ホゾ部よりも拡径されており、
前記軸本体部と前記ホゾ部との間に形成される段差部に対して、前記永久磁石が対向配置されていることを特徴とする請求項１に記載の時計用軸受。
【請求項３】
前記軸本体部の周面を覆うように磁性体で形成されたスリーブが設けられ、
該スリーブの軸方向端面に対して、前記永久磁石が対向配置されていることを特徴とする請求項１に記載の時計用軸受。
【請求項４】
前記永久磁石における前記軸体の軸方向内側を向く面を除く少なくともいずれかの面にヨークが設けられていることを特徴とする請求項１〜３のいずれかに記載の時計用軸受。
【請求項５】
軸中心に回転する軸体と、
該軸体の少なくとも一方の軸方向端部に設けられ、前記軸体を回転可能に支持する軸受体と、を備えた時計用軸受であって、
前記軸体は、
軸本体部と、
該軸本体部の軸方向端部に形成されたホゾ部と、
該ホゾ部の周面を覆うように配された第１永久磁石と、を有し、
前記軸受体は、
前記ホゾ部が挿通される貫通孔が形成された穴石と、
前記ホゾ部の軸方向端面と対向配置された受石と、を有し、
前記ホゾ部の軸中心と前記穴石の前記貫通孔の軸中心とが略一致するように、第２永久磁石が、軸方向における前記穴石と前記軸本体部との間であって、前記第１永久磁石の周面に対して同極を対向させて配置されていることを特徴とする時計用軸受。
【請求項６】
前記第１永久磁石が前記第２永久磁石よりも前記軸受体に近くなるように、軸方向にオフセットして配置されていることを特徴とする請求項５に記載の時計用軸受。
【請求項７】
香箱、番車、がんぎ車、アンクルおよびテンプを備えた時計のムーブメントであって、
少なくとも前記テンプの軸受に、請求項１〜６のいずれかに記載の時計用軸受が用いられていることを特徴とするムーブメント。
【請求項８】
請求項７に記載のムーブメントと、
該ムーブメントを内包するケーシングと、を備えていることを特徴とする携帯用時計。
【発明の詳細な説明】
【技術分野】
【０００１】
本発明は、時計用軸受、ムーブメントおよび携帯用時計に関するものである。
【背景技術】
【０００２】
従来から、腕時計や懐中時計などの携帯用時計に用いられる歯車などの回転する機械部品は、その回転軸端を内包するように軸受が配され、該回転軸が軸受にガイドされて回転し、トルクを伝達することにより、時刻を刻むように構成されている。
【０００３】
図１１、図１２は従来の一般的な時計用軸受７８０の構成である。図１１、図１２に示すように、回転軸７４３の端部には先細のホゾ７４５が形成されており、ホゾ７４５を内包するように軸受７８０が配されている。軸受７８０は、枠体７６６と、ホゾ７４５が挿通される貫通孔７７２が形成された穴石７７１と、ホゾ７４５の軸方向外側端部（ホゾ端面７４５ａ）を支持可能に構成された受石７７３と、受石７７３の軸方向外側への移動を規制する押えバネ７８２と、を備えている。穴石７７１、受石７７３および押えバネ７８２は、枠体７６６に内包されている。また、枠体７６６は、地板７６７に例えば圧入固定されている。
【０００４】
このように構成された時計用軸受７８０では、ホゾ側面７４５ｂが穴石７７１の貫通孔７７２と当接することによりラジアル方向への移動が規制され、ホゾ端面７４５ａが受石７７３の底面７７３ａと当接することによりスラスト方向への移動が規制されている。つまり、回転軸７４３が穴石７７１および受石７７３を有する軸受７８０により支持されている。
【０００５】
ここで、例えば、回転軸７４３の軸方向が重力方向を向いている場合（平姿勢の場合）には、ホゾ端面７４５ａが受石７７３の底面７７３ａと当接して回転軸７４３の荷重が受石７７３によって支持されている。一方、回転軸７４３の軸方向が水平方向を向いている場合（立姿勢の場合）には、ホゾ側面７４５ｂが穴石７７１の貫通孔７７２と当接して回転軸７４３の荷重が穴石７７１によって支持されている。したがって、時計の姿勢により、回転軸７４３と軸受７８０との接触状態が変化してしまうとともに、軸受７８０の摩擦損失も変化してしまうため、機械部品の振り角に差が発生する。その結果、時計の計時精度が低下してしまうという問題があった。
【０００６】
そこで、そのような問題を解消するために、特許文献１のような軸受が提案されている。特許文献１の軸受は、上述した軸受における受石の箇所に永久磁石を配置し、磁性体で形成された回転軸（ホゾ）を吸引する構成を有している。この構成によれば、姿勢変化による軸受と回転軸との接触状態が変化しないため、計時精度の低下を抑制することができるというものである。
【先行技術文献】
【特許文献】
【０００７】
【特許文献１】実開昭５０−１３０３６２号公報
【発明の概要】
【発明が解決しようとする課題】
【０００８】
しかしながら、特許文献１の軸受で用いられている永久磁石を構成する材料は一般的に脆いため、回転軸と接触する箇所（摺動部）に配すると、回転軸の回転による摩耗や衝撃によって永久磁石が破損してしまう虞があり、短寿命になるという問題がある。
【０００９】
また、上述した軸受の受石はルビーなどの透明材料で形成しているため、受石と穴石との間に保持される潤滑油の状態を受石を外さずに視認することができるが、永久磁石は透明材料ではないため、潤滑油の状態を確認するために都度永久磁石を取り外す必要があり、メンテナンス性が低下するという問題がある。
【００１０】
そこで、本発明は、上述の事情に鑑みてなされたものであり、計時精度の低下を抑制することができるとともに、寿命およびメンテナンス性の低下を抑制することができる時計用軸受、ムーブメントおよび携帯用時計を提供するものである。
【課題を解決するための手段】
【００１１】
上記の課題を解決するために、本発明は以下の手段を提供する。
本発明に係る時計用軸受は、軸中心に回転する軸体と、該軸体の少なくとも一方の軸方向端部に設けられ、前記軸体を回転可能に支持する軸受体と、を備えた時計用軸受であって、前記軸体は、軸本体部と、該軸本体部の軸方向端部に形成されたホゾ部と、を有し、前記軸受体は、前記ホゾ部が挿通される貫通孔が形成された穴石と、前記ホゾ部の軸方向端面と対向配置された受石と、を有し、前記ホゾ部の軸中心と前記穴石の前記貫通孔の軸中心とが略一致するように、永久磁石が、軸方向における前記穴石と前記軸本体部との間であって、前記ホゾ部の周面に対して対向配置されていることを特徴としている。
【００１２】
このように構成することで、軸体側に磁性体を配することにより、軸体の位置を永久磁石によってコントロールすることができる。つまり、時計用軸受の姿勢が変化しても、軸体と軸受体との位置を略一定に保持することが可能となる。したがって、時計の計時精度が低下するのを抑制することができる。
また、軸方向に回転する軸体と接触しない位置に永久磁石が配されるため、軸体が回転することによって永久磁石が摩耗したり破損したりするのを防止することができる。さらに、受石は従来と同一のものを採用することができるため、受石に透明材料を用いることにより、受石と穴石との間に供給される潤滑油の状態を受石を取り外すことなく視認することができる。したがって、時計用軸受の寿命およびメンテナンス性の低下を抑制することができる。
【００１３】
また、本発明に係る時計用軸受は、前記軸本体部が磁性体で形成されているとともに、前記軸本体部が前記ホゾ部よりも拡径されており、前記軸本体部と前記ホゾ部との間に形成される段差部に対して、前記永久磁石が対向配置されていることを特徴としている。
【００１４】
このように、軸本体部を磁性体で形成するととともに、軸本体部をホゾ部よりも大径化して軸体に段差部を形成し、段差部と永久磁石とが対向するように配置するだけで、軸体の位置を永久磁石によってコントロールすることができる。つまり、時計用軸受の姿勢が変化しても、軸体と軸受体との位置を略一定に保持することが可能となる。したがって、時計の計時精度が低下するのを抑制することができる。
【００１５】
また、本発明に係る時計用軸受は、前記軸本体部の周面を覆うように磁性体で形成されたスリーブが設けられ、該スリーブの軸方向端面に対して、前記永久磁石が対向配置されていることを特徴としている。
【００１６】
このように、軸本体部の周面に磁性体からなるスリーブを配し、スリーブの軸方向端面と永久磁石とが対向するように配置するだけで、軸体の位置を永久磁石によってコントロールすることができる。つまり、時計用軸受の姿勢が変化しても、軸体と軸受体との位置を略一定に保持することが可能となる。したがって、時計の計時精度が低下するのを抑制することができる。
【００１７】
また、本発明に係る時計用軸受は、前記永久磁石における前記軸体の軸方向内側を向く面を除く少なくともいずれかの面にヨークが設けられていることを特徴としている。
【００１８】
このように構成することで、永久磁石からの漏れ磁束を少なくすることができるため、軸体の位置を永久磁石によって効率的にコントロールすることができる。つまり、時計用軸受の姿勢が変化しても、軸体と軸受体との位置を略一定に保持することが可能となる。したがって、時計の計時精度が低下するのを抑制することができる。
【００１９】
また、本発明に係る時計用軸受は、軸中心に回転する軸体と、該軸体の少なくとも一方の軸方向端部に設けられ、前記軸体を回転可能に支持する軸受体と、を備えた時計用軸受であって、前記軸体は、軸本体部と、該軸本体部の軸方向端部に形成されたホゾ部と、該ホゾ部の周面を覆うように配された第１永久磁石と、を有し、前記軸受体は、前記ホゾ部が挿通される貫通孔が形成された穴石と、前記ホゾ部の軸方向端面と対向配置された受石と、を有し、前記ホゾ部の軸中心と前記穴石の前記貫通孔の軸中心とが略一致するように、第２永久磁石が、軸方向における前記穴石と前記軸本体部との間であって、前記第１永久磁石の周面に対して同極を対向させて配置されていることを特徴としている。
【００２０】
このように構成することで、第１永久磁石と第２永久磁石とが径方向に反発し合うため、第１永久磁石と第２永久磁石との配置によって、軸体の位置をコントロールすることができる。つまり、時計用軸受の姿勢が変化しても、軸体と軸受体との位置を略一定に保持することが可能となる。したがって、時計の計時精度が低下するのを抑制することができる。
また、このように第１永久磁石および第２永久磁石を配置することにより、軸体が回転しても第１永久磁石および第２永久磁石が摩耗したり破損したりするのを防止することができる。さらに、受石は従来と同一のものを採用することができるため、受石に透明材料を用いることにより、受石と穴石との間に供給される潤滑油の状態を受石を取り外すことなく視認することができる。したがって、時計用軸受の寿命およびメンテナンス性の低下を抑制することができる。
【００２１】
また、本発明に係る時計用軸受は、前記第１永久磁石が前記第２永久磁石よりも前記軸受体に近くなるように、軸方向にオフセットして配置されていることを特徴としている。
【００２２】
このように構成することで、軸体を軸受体側に押し付ける力が生じるため、軸体の位置をより安定的にコントロールすることができる。つまり、時計用軸受の姿勢が変化しても、軸体と軸受体との位置を略一定に保持することが可能となる。したがって、時計の計時精度が低下するのを抑制することができる。
【００２３】
また、本発明に係るムーブメントは、香箱、番車、がんぎ車、アンクルおよびテンプを備えた時計のムーブメントであって、少なくとも前記テンプの軸受に、上述したいずれかに記載の時計用軸受が用いられていることを特徴としている。
【００２４】
このように構成することで、軸体側に磁性体を配することにより、軸体の位置を永久磁石によってコントロールすることができる。つまり、時計用軸受の姿勢が変化しても、軸体と軸受体との位置を略一定に保持することが可能となる。したがって、時計の計時精度が低下するのを抑制することができるムーブメントを提供することができる。
また、軸方向に回転する軸体と接触しない位置に永久磁石が配されるため、軸体が回転することによって永久磁石が摩耗したり破損したりするのを防止することができる。さらに、受石は従来と同一のものを採用することができるため、受石に透明材料を用いることにより、受石と穴石との間に供給される潤滑油の状態を受石を取り外すことなく視認することができる。したがって、時計用軸受の寿命およびメンテナンス性の低下を抑制することができるムーブメントを提供することができる。
【００２５】
また、本発明に係る携帯用時計は、上述したムーブメントと、該ムーブメントを内包するケーシングと、を備えていることを特徴としている。
【００２６】
このように構成することで、軸体側に磁性体を配することにより、軸体の位置を永久磁石によってコントロールすることができる。つまり、時計用軸受の姿勢が変化しても、軸体と軸受体との位置を略一定に保持することが可能となる。したがって、時計の計時精度が低下するのを抑制することができる携帯用時計を提供することができる。
また、軸方向に回転する軸体と接触しない位置に永久磁石が配されるため、軸体が回転することによって永久磁石が摩耗したり破損したりするのを防止することができる。さらに、受石は従来と同一のものを採用することができるため、受石に透明材料を用いることにより、受石と穴石との間に供給される潤滑油の状態を受石を取り外すことなく視認することができる。したがって、時計用軸受の寿命およびメンテナンス性の低下を抑制することができる携帯用時計を提供することができる。
【発明の効果】
【００２７】
本発明に係る時計用軸受によれば、軸体側に磁性体を配することにより、軸体の位置を永久磁石によってコントロールすることができる。つまり、時計用軸受の姿勢が変化しても、軸体と軸受体との位置を略一定に保持することが可能となる。したがって、時計の計時精度が低下するのを抑制することができる。
また、軸方向に回転する軸体と接触しない位置に永久磁石が配されるため、軸体が回転することによって永久磁石が摩耗したり破損したりするのを防止することができる。さらに、受石は従来と同一のものを採用することができるため、受石に透明材料を用いることにより、受石と穴石との間に供給される潤滑油の状態を受石を取り外すことなく視認することができる。したがって、時計用軸受の寿命およびメンテナンス性の低下を抑制することができる。
【図面の簡単な説明】
【００２８】
【図１】本発明の実施形態における機械式時計のムーブメント表側の平面図である（一部の部品を省略し、受部材は仮想線で示している）。
【図２】本発明の実施形態における香箱からがんぎ車の部分を示す概略部分断面図である。
【図３】本発明の実施形態におけるがんぎ車からテンプの部分を示す概略部分断面図である。
【図４】図３のＡ部拡大図（軸受の第１の態様）である。
【図５】本発明の実施形態におけるテンプおよび軸受を示す斜視図である。
【図６】図５の軸受を示す分解斜視図である。
【図７】本発明の実施形態における軸受の第２の態様を示す断面図（図３のＡ部に相当）である。
【図８】本発明の実施形態における軸受の第３の態様を示す断面図（図３のＡ部に相当）である。
【図９】本発明の実施形態における軸部の第４の態様を示す断面図（図３のＡ部に相当）である。
【図１０】本発明の実施形態における軸受の第５の態様を示す断面図（図３のＡ部に相当）である。
【図１１】従来の時計用軸受の平面図である。
【図１２】図１１のＤ−Ｄ線に沿う断面図である。
【発明を実施するための形態】
【００２９】
次に、本発明に係る時計用軸受の実施形態を図１〜図１０に基づいて説明する。なお、本実施形態では、時計用軸受が腕時計などの携帯用の機械式時計に用いられる場合について説明する。
【００３０】
（機械式時計）
図１〜図３に示すように、機械式時計のムーブメント１００は、ムーブメント１００の基板を構成する地板１０２を有している。地板１０２の巻真案内穴１０２ａには、巻真１１０が回転可能に組み込まれている。文字板１０４（図２参照）はムーブメント１００に取り付けられる。一般に、地板１０２の両側のうち、文字板１０４が配される側をムーブメント１００の裏側と称し、文字板１０４が配される側の反対側をムーブメント１００の表側と称する。ムーブメント１００の表側に組み込まれる輪列を表輪列と称し、ムーブメント１００の裏側に組み込まれる輪列を裏輪列と称する。なお、ムーブメント１００にケーシング（不図示）を設けることにより携帯用時計として構成される。
【００３１】
おしどり１９０、かんぬき１９２、かんぬきばね１９４、裏押さえ１９６を含む切換装置により、巻真１１０の軸線方向の位置が決められている。きち車１１２は巻真１１０の案内軸部に回転可能に設けられている。巻真１１０が、回転軸線方向に沿ってムーブメント１００の内側に一番近い方の第１の巻真位置（０段目）にある状態で巻真１１０を回転させると、つづみ車の回転を介してきち車１１２が回転する。丸穴車１１４は、きち車１１２の回転により回転する。また、角穴車１１６は、丸穴車１１４の回転により回転する。角穴車１１６が回転することにより、香箱車１２０に収容されたぜんまい１２２（図２参照）を巻き上げる。
【００３２】
二番車１２４は、香箱車１２０の回転により回転する。がんぎ車１３０は、四番車１２８、三番車１２６、二番車１２４の回転を介して回転する。香箱車１２０、二番車１２４、三番車１２６、四番車１２８は表輪列を構成する。
【００３３】
表輪列の回転を制御するための脱進・調速装置は、テンプ１４０と、がんぎ車１３０と、アンクル１４２とを含む。二番車１２４の回転に基づいて、筒かな１５０（図２参照）が同時に回転する。筒かな１５０に取り付けられた分針１５２が「分」を表示する。筒かな１５０には、二番車１２４に対するスリップ機構が設けられている。筒かな１５０の回転に基づいて、日の裏車の回転を介して、筒車１５４が回転する。筒車１５４に取り付けられた時針１５６が「時」を表示する。
【００３４】
香箱車１２０は、香箱歯車１２０ｄと、香箱真１２０ｆと、ぜんまい１２２とを備えている。香箱真１２０ｆは、上軸部１２０ａと、下軸部１２０ｂとを含む。香箱真１２０ｆは、炭素鋼などの金属で形成されている。香箱歯車１２０ｄは黄銅などの金属で形成されている。
【００３５】
二番車１２４は、上軸部１２４ａと、下軸部１２４ｂと、かな部１２４ｃと、歯車部１２４ｄと、そろばん玉部１２４ｈとを含む。二番車１２４のかな部１２４ｃは香箱歯車１２０ｄと噛み合うように構成されている。上軸部１２４ａ、下軸部１２４ｂおよびそろばん玉部１２４ｈは、炭素鋼などの金属で形成されている。歯車部１２４ｄはニッケルなどの金属で形成されている。
【００３６】
三番車１２６は、上軸部１２６ａと、下軸部１２６ｂと、かな部１２６ｃと、歯車部１２６ｄとを含む。三番車１２６のかな部１２６ｃは歯車部１２４ｄと噛み合うように構成されている。
【００３７】
四番車１２８は、上軸部１２８ａと、下軸部１２８ｂと、かな部１２８ｃと、歯車部１２８ｄとを含む。四番車１２８のかな部１２８ｃは歯車部１２６ｄと噛み合うように構成されている。上軸部１２８ａと、下軸部１２８ｂは、炭素鋼などの金属で形成されている。歯車部１２８ｄはニッケルなどの金属で形成されている。
【００３８】
がんぎ車１３０は、上軸部１３０ａと、下軸部１３０ｂと、かな部１３０ｃと、歯車部１３０ｄとを含む。がんぎ車１３０のかな部１３０ｃは歯車部１２８ｄと噛み合うように構成されている。アンクル１４２は、アンクル体１４２ｄと、アンクル真１４２ｆと、を備えている。アンクル真１４２ｆは、上軸部１４２ａと、下軸部１４２ｂとを含む。
【００３９】
香箱車１２０は、地板１０２および香箱受１６０に対して回転可能に支持されている。すなわち、香箱真１２０ｆの上軸部１２０ａは、香箱受１６０に対して回転可能に支持される。香箱真１２０ｆの下軸部１２０ｂは、地板１０２に対して、回転可能に支持される。二番車１２４、三番車１２６、四番車１２８、がんぎ車１３０は、地板１０２および輪列受１６２に対して回転可能に支持されている。すなわち、二番車１２４の上軸部１２４ａ、三番車１２６の上軸部１２６ａ、四番車１２８の上軸部１２８ａ、がんぎ車１３０の上軸部１３０ａは、輪列受１６２に対して回転可能に支持される。また、二番車１２４の下軸部１２４ｂ、三番車１２６の下軸部１２６ｂ、四番車１２８の下軸部１２８ｂ、がんぎ車１３０の下軸部１３０ｂは、地板１０２に対して、回転可能に支持される。
【００４０】
アンクル１４２は、地板１０２およびアンクル受１６４に対して回転可能に支持されている。すなわち、アンクル１４２の上軸部１４２ａは、アンクル受１６４に対して回転可能に支持される。アンクル１４２の下軸部１４２ｂは、地板１０２に対して、回転可能に支持される。
【００４１】
香箱真１２０ｆの上軸部１２０ａを回転可能に支持する香箱受１６０の軸受部と、二番車１２４の上軸部１２４ａを回転可能に支持する輪列受１６２の軸受部と、三番車１２６の上軸部１２６ａを回転可能に支持する輪列受１６２の軸受部と、四番車１２８の上軸部１２８ａを回転可能に支持する輪列受１６２の軸受部と、がんぎ車１３０の上軸部１３０ａを回転可能に支持する輪列受１６２の軸受部と、アンクル１４２の上軸部１４２ａを回転可能に支持するアンクル受１６４の軸受部には、潤滑油が注油される。また、香箱真１２０ｆの下軸部１２０ｂを回転可能に支持する地板１０２の軸受部と、二番車１２４の下軸部１２４ｂを回転可能に支持する地板１０２の軸受部と、三番車１２６の下軸部１２６ｂを回転可能に支持する地板１０２の軸受部と、四番車１２８の下軸部１２８ｂを回転可能に支持する地板１０２の軸受部と、がんぎ車１３０の下軸部１３０ｂを回転可能に支持する地板１０２の軸受部と、アンクル１４２の下軸部１４２ｂを回転可能に支持する地板１０２の軸受部には、潤滑油が注油される。この潤滑油は、精密機械用油であるのが好ましく、いわゆる時計油であるのが特に好ましい。
【００４２】
地板１０２のそれぞれの軸受部、香箱受１６０の軸受部、輪列受１６２のそれぞれの軸受部には、潤滑油の保持性能を高めるために、円錐状、円筒状、または円錐台状の油溜め部を設けるのが好ましい。油溜め部を設けると、潤滑油の表面張力により油が拡散するのを効果的に阻止することができる。地板１０２、香箱受１６０、輪列受１６２、アンクル受１６４は、黄銅などの金属で形成してもよいし、ポリカーボネートなどの樹脂で形成してもよい。
【００４３】
（テンプの構造）
次に、本実施形態のテンプの構造について説明する。
図３に示すように、テンプ１４０は、てん真１４０ａおよびひげぜんまい１４０ｃを備えている。
【００４４】
ひげぜんまい１４０ｃは、複数の巻き数をもったうずまき状（螺旋状）の形態の薄板ばねである。ひげぜんまい１４０ｃの内側端部は、てん真（軸本体部）１４０ａに固定されたひげ玉１４０ｄに固定され、ひげぜんまい１４０ｃの外側端部は、テンプ受１６７に回転可能に取り付けられたひげ持受１７０に取り付けたひげ持１７０ａを介してねじ締めにより固定されている。また、テンプ１４０の軸方向一方端部には軸受体１８１が設けられており、この軸受体１８１は枠体１６６に内包されており、枠体１６６はその外周部でテンプ受１６７に固定されている。さらに、緩急針１６８は、テンプ受１６７に回転可能に取り付けられている。そして、テンプ１４０は、軸方向一方端部がテンプ受１６７に対して回転可能に支持されているとともに、軸方向他方端部が地板１０２に対して回転可能に支持されている。
【００４５】
ここで、テンプ１４０は、中心軸線Ｃに沿うように配された軸体１４３を軸中心に回転可能に構成されている。軸体１４３は、軸本体部として構成されるてん真１４０ａと、てん真１４０ａの軸方向両端に、てん真１４０ａよりも細い径で形成されたホゾ部１４４，１４５と、を備えている。図３では、下側のホゾ部１４４は地板１０２に対して回転可能に支持されており、上側のホゾ部１４５は、軸受体１８１に対して回転可能に支持されている。この軸体１４３と軸受体１８１とで軸受（時計用軸受）１８０を構成している。
【００４６】
続いて、軸受１８０についての第１の態様について説明する。
図４に示すように、軸受１８０は、中心軸線Ｃを中心に回転する軸体１４３の一方の端部であるホゾ部１４５側に設けられ、軸体１４３のスラスト方向（軸方向）およびラジアル方向（径方向）の移動を規制する軸受体１８１と、軸受体１８１を軸方向内側（てん真１４０ａ）の方向に向かって付勢する付勢力を有する押えバネ１８２と、軸受体１８１および押えバネ１８２を内包する枠体１６６と、を備えている。なお、軸体１４３は磁性体にて形成されている。
【００４７】
ホゾ部１４５は、軸体１４３の一方端部に軸方向外側に向かって突出形成されており、てん真１４０ａよりも径が細くなった第１ホゾ部１４６と、第１ホゾ部１４６の軸方向外側端部から軸方向外側にさらに第１ホゾ部１４６よりも径が細く突出形成された第２ホゾ部１４８と、を備えている。つまり、てん真１４０ａと第１ホゾ部１４６との間には段差部１４９が形成されている。
【００４８】
軸受体１８１は、第２ホゾ部１４８が挿通される貫通孔１７２が形成された穴石１７１と、第２ホゾ部１４８の軸方向端面１４８ａと対向配置された受石１７３と、を備えている。
【００４９】
穴石１７１は、例えばルビーなどの透明材料で形成されており、平面視略中央に貫通孔１７２が形成された外形略円形の部材である。貫通孔１７２の内径は、軸体１４３の第２ホゾ部１４８が挿通可能な大きさで形成されている。また、穴石１７１は、その外周面１７１ａが枠体１６６の内周面１６６ａに圧入固定される大きさで形成されている。
【００５０】
受石１７３は、例えばルビーなどで形成された平面視略円形の部材である。受石１７３は、穴石１７１の軸方向外側に配されており、その底面１７３ａにおける平面視略中央に軸体１４３の第２ホゾ部１４８の軸方向端面１４８ａが対向配置されるように構成されている。また、受石１７３は枠体１６６に形成された切欠凹部１６９に周縁部１７３ｂが載置されるように構成されている。つまり、受石１７３は、切欠凹部１６９が形成された位置より穴石１７１側（軸方向内側）には移動できないように規制されている。なお、受石１７３の上面１７３ｃは、側面視で湾曲形成されている。
【００５１】
押えバネ１８２は、例えば金属で形成された板バネ部材で構成されている。押えバネ１８２は、枠体１６６における軸受体１８１の軸方向外側に支持固定されている。押えバネ１８２は軸受体１８１を軸体１４３方向（軸方向内側方向）に付勢する付勢力Ｆを有しており、軸受１８０に衝撃が加わっていない状態において、この付勢力Ｆは、軸受体１８１の受石１７３の上面１７３ｃに印加され、受石１７３の周縁部１７３ｂが切欠凹部１６９に当接されている。
【００５２】
枠体１６６は、略円筒状に形成されており、軸受体１８１および弾性体１８２を内包可能な貫通孔１８８が形成されている。また、枠体１６６の内周面１６６ａには、周方向に沿って弾性体１８２の周縁部が嵌合支持される溝部１８９が全周に亘って形成されている。さらに、枠体１６６の外周面１６６ｂが、テンプ受１６７の内周面に圧入固定されるように構成されている。
【００５３】
軸体１４３の第２ホゾ部１４８に軸受体１８１を取り付けると、軸方向におけるてん真１４０ａと穴石１７１との間であって、第１ホゾ部１４６の周囲には空間部１７５が形成される。
【００５４】
ここで、図４に示すように、空間部１７５には永久磁石１７６が設けられている。永久磁石１７６は、第１ホゾ部１４６の周面１４６ａに対して所定間隔を空けて対向配置されている。また、永久磁石１７６におけるてん真１４０ａ方向を向く端面１７６ａも軸体１４３の段差部１４９に対して所定間隔を空けて対向配置されている。つまり、永久磁石１７６は、軸体１４３と接触することなく配置されている。さらに、永久磁石１７６は、例えば、径方向内側にＳ極、径方向外側にＮ極が位置するように配されており、枠体１６６の内周面１６６ａに支持固定されている。
【００５５】
また、押えバネ１８２の構成および枠体１６６に押えバネ１８２を支持固定する構成について一例を用いて説明する。例えば、図５、図６に示すように、押えバネ１８２は、受石１７３の上面１７３ｃに略当接される内輪部１８２ａと、内輪部１８２ａから径方向外方へ向かって放射状に複数形成されたバネ部１８２ｂと、を備えている。図５、図６では、バネ部１８２ｂが周方向に略等間隔に３箇所形成されている。また、枠体１６６の一方の面１６６ｃには押えバネ１８２のバネ部１８２ｂの先端を挿通可能な切欠部１６６ｄがバネ部１８２ｂの形状に合わせて複数形成されている。さらに、枠体１６６の内周面１６６ａには、周方向に沿ってバネ部１８２ｂの先端が嵌合支持される溝部１８９が全周に亘って形成されている。そして、切欠部１６６ｄと溝部１８９とは、繋がっている。つまり、バネ部１８２ｂの先端を切欠部１６６ｄの位置に合わせて挿通させることにより、バネ部１８２ｂの先端を溝部１８９に配することができ、その状態で押えバネ１８２を枠体１６６に対して周方向に回転させてバネ部１８２ｂの先端を溝部１８９に支持固定することにより、押えバネ１８２のバネ部１８２ｂを枠体１６６に支持固定することができるようになっている。
【００５６】
上述のように構成された軸受１８０は、軸体１４３（ホゾ部１４５）が軸受体１８１に支持されつつ、中心軸線Ｃを中心に回転している。ここで、永久磁石１７６が配されているため、永久磁石１７６の端面１７６ａとてん真１４０ａ（段差部１４９）との間に磁束の流れ（図４の矢印Ｂ）が生じる。つまり、永久磁石１７６が軸体１４３（ホゾ部１４５）の周方向に沿って略均等に配されることにより、ホゾ部１４５の軸中心と穴石１７１の軸中心とを略一致させることができる。このように、軸体１４３（てん真１４０ａ）の位置を永久磁石１７６によりコントロールすることにより、軸受１８０の姿勢が変化しても軸体１４３と軸受体１８１との間の位置関係は略一定の状態で保持される。
【００５７】
本実施形態によれば、永久磁石１７６を、軸方向における穴石１７１とてん真１４０ａとの間であって、ホゾ部１４５の周面に対して対向配置したため、てん真１４０ａを磁性体で形成することにより、軸体１４３の位置を永久磁石１７６によってコントロールすることができる。つまり、軸受１８０の姿勢が変化しても、軸体１４３と軸受体１８１との位置を略一定に保持することが可能となる。例えば、軸受１８０が立姿勢になった場合に、第２ホゾ部１４８の側面１４８ｂと穴石１７１の貫通孔１７２とが当接するのを防止することができる。したがって、時計の計時精度が低下するのを抑制することができる。
【００５８】
また、軸方向に回転する軸体１４３と接触しない位置に永久磁石１７６が配されるため、軸体１４３が回転することによって永久磁石１７６が摩耗したり破損したりするのを防止することができる。さらに、受石１７３は従来と同様にルビーなどの透明な部材を採用することができるため、受石１７３と穴石１７１との間に供給される潤滑油の状態を受石１７３を取り外すことなく視認することができる。したがって、軸受１８０の寿命およびメンテナンス性の低下を抑制することができる。
【００５９】
続いて、軸受についての第２の態様について説明する。
図７に示すように、軸受２８０は、上述した第１の態様と永久磁石が配された箇所の構成のみが異なるため、この異なる構成を中心に説明する。
【００６０】
空間部１７５には永久磁石２７６が設けられている。永久磁石２７６は、第１ホゾ部１４６の周面１４６ａに対して所定間隔を空けて対向配置されている。また、永久磁石２７６におけるてん真１４０ａ方向を向く端面２７６ａも軸体１４３の段差部１４９に対して所定間隔を空けて対向配置されている。つまり、永久磁石２７６は、軸体１４３と接触することなく配置されている。さらに、永久磁石２７６は、例えば、径方向内側にＳ極、径方向外側にＮ極が位置するように配されている。
【００６１】
ここで、この態様では、永久磁石２７６の周囲にヨーク２８５が配されている。ヨーク２８５は、磁性体で形成されており、永久磁石２７６における軸体１４３の軸方向内側を向く端面２７６ａを除く全ての面を覆うように配されている。
【００６２】
上述のように構成された軸受２８０は、軸体１４３（ホゾ部１４５）が軸受体１８１に支持されつつ、中心軸線Ｃを中心に回転している。ここで、永久磁石２７６が配されているため、永久磁石２７６の端面２７６ａとてん真１４０ａ（段差部１４９）との間に磁束の流れ（図７の矢印Ｂ）が生じる。つまり、永久磁石２７６が軸体１４３（ホゾ部１４５）の周方向に沿って略均等に配されることにより、ホゾ部１４５の軸中心と穴石１７１の軸中心とを略一致させることができる。このように、軸体１４３（てん真１４０ａ）の位置を永久磁石２７６によりコントロールすることにより、軸受２８０の姿勢が変化しても軸体１４３と軸受体１８１との間の位置関係は略一定の状態で保持される。例えば、軸受２８０が立姿勢になった場合に、第２ホゾ部１４８の側面１４８ｂと穴石１７１の貫通孔１７２とが当接するのを防止することができる。
【００６３】
さらに、永久磁石２７６の周囲をヨーク２８５で覆っているため、漏れ磁束を少なくすることができる。したがって、軸体１４３の位置を永久磁石２７６によって効率的にコントロールすることができる。つまり、軸受２８０の姿勢が変化しても、軸体１４３と軸受体１８１との位置を略一定に保持することが可能となる。したがって、時計の計時精度が低下するのを抑制することができる。
【００６４】
続いて、軸受についての第３の態様について説明する。
図８に示すように、軸受３８０は、上述した第１の態様と軸体（てん真）の構成のみが異なるため、この異なる構成を中心に説明する。
【００６５】
軸受３８０は、中心軸線Ｃを中心に回転する軸体３４３の一方の端部であるホゾ部１４５側に設けられ、軸体３４３のスラスト方向（軸方向）およびラジアル方向（径方向）の移動を規制する軸受体１８１と、軸受体１８１を軸方向内側（てん真３４０ａ）の方向に向かって付勢する付勢力を有する押えバネ１８２と、軸受体１８１および押えバネ１８２を内包する枠体１６６と、を備えている。なお、軸体３４３は非磁性体にて形成されている。
【００６６】
ホゾ部１４５は、軸体３４３の一方端部に軸方向外側に向かって突出形成されており、てん真３４０ａと同一径の第１ホゾ部１４６と、第１ホゾ部１４６の軸方向外側端部から軸方向外側に第１ホゾ部１４６よりも径が細く突出形成された第２ホゾ部１４８と、を備えている。
【００６７】
ここで、この態様では、てん真３４０ａの周面３４０ｂを覆うように磁性体で形成されたスリーブ３８５が設けられ、スリーブ３８５の軸方向端面３８５ａに対して、永久磁石１７６の端面１７６ａが対向配置されている。
【００６８】
上述のように構成された軸受３８０は、軸体３４３（ホゾ部１４５）が軸受体１８１に支持されつつ、中心軸線Ｃを中心に回転している。ここで、永久磁石１７６が配されているため、永久磁石１７６の端面１７６ａとスリーブ３８５の軸方向端面３８５ａとの間に磁束の流れ（図８の矢印Ｂ）が生じる。つまり、永久磁石１７６が軸体１４３（ホゾ部１４５）の周方向に沿って略均等に配されるとともに、てん真３４０ａの周面３４０ｂに磁性体からなるスリーブ３８５が永久磁石１７６と対向するように配されることにより、ホゾ部１４５の軸中心と穴石１７１の軸中心とを略一致させることができる。このように、軸体１４３（てん真１４０ａ）の位置を永久磁石１７６によりコントロールすることにより、軸受３８０の姿勢が変化しても軸体３４３と軸受体１８１との間の位置関係は略一定の状態で保持される。例えば、軸受３８０が立姿勢になった場合に、第２ホゾ部１４８の側面１４８ｂと穴石１７１の貫通孔１７２とが当接するのを防止することができる。つまり、従来の軸体３４３にスリーブ３８５を取り付けるだけでよく、簡易な構成で実現することができる。
【００６９】
続いて、軸受についての第４の態様について説明する。
図９に示すように、軸受４８０は、上述した第１の態様と永久磁石が配された箇所の構成のみが異なるため、この異なる構成を中心に説明する。
【００７０】
空間部１７５には永久磁石４７５，４７６が設けられている。永久磁石４７５は、第１ホゾ部１４６の周面１４６ａに沿って配置されており、例えば、径方向内側にＮ極、径方向外側にＳ極が位置するように配されている。また、永久磁石４７６は、永久磁石４７５の外周面４７５ａに対して所定間隔を空けて対向配置されており、例えば、径方向内側にＳ極、径方向外側にＮ極が位置するように配されている。つまり、永久磁石４７５の外周面４７５ａと永久磁石４７６の内周面４７６ａとが同極になるように対向配置されている。
【００７１】
上述のように構成された軸受４８０は、軸体１４３（ホゾ部１４５）が軸受体１８１に支持されつつ、中心軸線Ｃを中心に回転している。ここで、永久磁石４７５の外周面４７５ａと永久磁石４７６の内周面４７６ａとが同極になるように対向配置されているため、永久磁石４７５と永久磁石４７６とがラジアル方向に反発し合う。つまり、永久磁石４７５，４７６が軸体１４３（ホゾ部１４５）の周方向に沿って略均等に配されることにより、ホゾ部１４５の軸中心と穴石１７１の軸中心とを略一致させることができる。このように、軸体１４３（てん真１４０ａ）の位置を永久磁石４７５，４７６によりコントロールすることにより、軸受４８０の姿勢が変化しても軸体１４３と軸受体１８１との間の位置関係は略一定の状態で保持される。例えば、軸受４８０が立姿勢になった場合に、第２ホゾ部１４８の側面１４８ｂと穴石１７１の貫通孔１７２とが当接するのを防止することができる。
【００７２】
また、このように永久磁石４７５および永久磁石４７６を配置することにより、軸体１４３が回転しても永久磁石４７５および永久磁石４７６が摩耗したり破損したりするのを防止することができる。さらに、受石１７３は従来と同一のものを採用することができるため、受石１７３に透明材料を用いることにより、受石１７３と穴石１７１との間に供給される潤滑油の状態を受石１７３を取り外すことなく視認することができる。したがって、軸受４８０の寿命およびメンテナンス性の低下を抑制することができる。
【００７３】
続いて、軸受についての第５の態様について説明する。
図１０に示すように、軸受５８０は、上述した第４の態様と永久磁石が配された箇所の構成のみが異なるため、この異なる構成を中心に説明する。
【００７４】
空間部１７５には永久磁石５７５，５７６が設けられている。永久磁石５７５は、第１ホゾ部１４６の周面１４６ａに沿って配置されており、例えば、径方向内側にＮ極、径方向外側にＳ極が位置するように配されている。また、永久磁石５７６は、永久磁石５７５の外周面５７５ａに対して所定間隔を空けて対向配置されており、例えば、径方向内側にＳ極、径方向外側にＮ極が位置するように配されている。つまり、永久磁石５７５の外周面５７５ａと永久磁石５７６の内周面５７６ａとが同極になるように対向配置されている。
【００７５】
ここで、永久磁石５７５と永久磁石５７６とは軸方向にオフセットして配置されている。具体的には、永久磁石５７５が永久磁石５７６よりも軸受体１８１に近くなるようにオフセットされている。
【００７６】
上述のように構成された軸受５８０は、永久磁石５７５の外周面５７５ａと永久磁石５７６の内周面５７６ａとが同極になるように対向配置されているとともに、永久磁石５７５が永久磁石５７６よりも軸受体１８１に近くなるようにオフセットされて配置されているため、軸体１４３を軸受体１８１側に押し付ける力が生じる。したがって、軸体１４３の位置をより安定的にコントロールすることができる。つまり、軸受５８０の姿勢が変化しても、軸体１４３と軸受体１８１との位置を略一定に保持することが可能となる。例えば、軸受５８０が立姿勢になった場合に、第２ホゾ部１４８の側面１４８ｂと穴石１７１の貫通孔１７２とが当接するのを防止することができる。したがって、時計の計時精度が低下するのを抑制することができる。
【００７７】
尚、本発明は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
【００７８】
例えば、上記実施形態では、ホゾ部１４５側に軸受１８０を設けた場合の説明をしたが、ホゾ部１４４側に軸受１８０を配する構成にしてもよい。
【００７９】
また、上記実施形態では、永久磁石２７６における軸体１４３の軸方向内側を向く端面２７６ａを除く全ての面を覆うようにヨーク２８５を配した場合の説明をしたが、端面２７６ａを除く面のうち何れかに面を覆うようにヨークを設けてもよい。
【００８０】
さらに、上記実施形態では、テンプ１４０に配する軸受として上記構成の軸受１８０を採用した場合の説明をしたが、テンプ１４０以外にも、香箱車１２０、二番車１２４、三番車１２６、四番車１２８、がんぎ車１３０およびアンクル１４２の軸受として上記構成の軸受１８０を採用してもよい。
【符号の説明】
【００８１】
１００…ムーブメント  １２０…香箱車（香箱）  １２４…二番車（番車）  １２６…三番車（番車）  １２８…四番車（番車）  １３０…がんぎ車  １４０…テンプ  １４０ａ…てん真（軸本体部）  １４２…アンクル  １４３…軸体  １４４…ホゾ部  １４５…ホゾ部  １４６ａ…周面  １４８ａ…軸方向端面  １４９…段差部  １８０…軸受（時計用軸受）  １８１…軸受体  １７１…穴石  １７２…貫通孔  １７３…受石  １７６…永久磁石  ２７６…永久磁石  ２７６ａ…端面（軸方向内側を向く面）  ２８０…軸受（時計用軸受）  ２８５…ヨーク  ３４０ａ…てん真（軸本体部）  ３４０ｂ…周面  ３８０…軸受（時計用軸受）  ３８５…スリーブ  ３８５ａ…軸方向端面  ４７５…永久磁石（第１永久磁石）  ４７６…永久磁石（第２永久磁石）  ４８０…軸受（時計用軸受）  ５７５…永久磁石（第１永久磁石）  ５７６…永久磁石（第２永久磁石）  ５８０…軸受（時計用軸受）Ｃ…中心軸線（軸中心）
【図１】
2011185672.tif 000003
【図２】
2011185672.tif 000004
【図３】
2011185672.tif 000005
【図４】
2011185672.tif 000006
【図５】
2011185672.tif 000007
【図６】
2011185672.tif 000008
【図７】
2011185672.tif 000009
【図８】
2011185672.tif 000010
【図９】
2011185672.tif 000011
【図１０】
2011185672.tif 000012
【図１１】
2011185672.tif 000013
【図１２】
2011185672.tif 000014